(57)【要約】【課題】操作体のデザイン上の自由度が格段に増加するとともに、操作体の集合状態において操作体同士が絡まることを確実に防止できる多芯筆記具を提供する。【解決手段】軸筒２内に複数の筆記体６を前後方向に移動可能に収容する。各々の筆記体６の後端に操作体７を連結する。操作体７の操作部７１を窓孔４１から径方向外方に突出させる。操作体７が筆記体６の後端開口部に嵌入される嵌入部７４を備える。操作体７の操作部７１が厚み方向に貫通する貫通孔７１ａを備える。貫通孔７１ａの内接円直径Ａを嵌入部７４の外接円直径Ｄより小さく形成する。操作部７１の前方に装飾部７６を設け、装飾部７６が厚み方向に貫通する貫通孔７６ａを備え、装飾部７６の貫通孔７６ａの内接円直径Ｂを、嵌入部７４の外接円直径Ｄより小さく形成する。【選択図】  図４
2014117933.tif 000002
【特許請求の範囲】
【請求項１】
軸筒内に複数の筆記体を前後方向に移動可能に収容し、前記各々の筆記体の後端に操作体を連結し、前記各々の筆記体及び操作体を弾発体により後方に付勢し、前記軸筒の側壁に前後方向に延びる複数の窓孔を径方向に貫設し、前記各々の窓孔から径方向外方に前記各々の操作体の操作部を突出させ、一つの操作体を窓孔に沿って前方にスライド操作することにより、その一つの操作体を先にペン先突出状態にあった他の筆記体の操作体と当接させ、先にペン先突出状態にあった他の筆記体の操作体と軸筒内壁との係止状態を解除し、先に突出状態にあった他の筆記体のペン先を軸筒内に没入させ、前記前方にスライド操作した操作体に連結された筆記体のペン先を軸筒の前端孔から突出させてなる多芯筆記具であって、
前記操作体が筆記体の後端開口部に嵌入される嵌入部を備え、前記操作体の操作部が厚み方向に貫通する貫通孔を備え、前記貫通孔の内接円直径を前記嵌入部の外接円直径より小さく形成したことを特徴とする多芯筆記具。
【請求項２】
前記操作部に厚み方向に貫通する複数の貫通孔を有し、各々の貫通孔の内接円直径を前記嵌入部の外接円直径より小さく形成した請求項１記載の多芯筆記具。
【請求項３】
前記操作部の前方に装飾部を設け、前記装飾部が厚み方向に貫通する貫通孔を備え、前記装飾部の貫通孔の内接円直径を前記嵌入部の外接円直径より小さく形成した請求項１または２記載の多芯筆記具。
【請求項４】
前記筆記体及び操作体を連結状態で軸筒内から取り外し可能且つ軸筒内に挿入可能に構成した請求項１乃至３の何れかに記載の多芯筆記具。
【発明の詳細な説明】
【技術分野】
【０００１】
本発明は、多芯筆記具に関する。
【背景技術】
【０００２】
特許文献１には、操作体の本体の径方向外面に操作部と装飾部を分離して突設させた多芯筆記具が記載されている。
【０００３】
前記特許文献１の多芯筆記具は、操作体においてデザイン上の自由度を増加させることができるが、市場ではさらにデザイン上の自由度の増加が求められている。
【先行技術文献】
【特許文献】
【０００４】
【特許文献１】特開２０１２−１６６４８４号公報
【発明の概要】
【発明が解決しようとする課題】
【０００５】
本発明は、操作体のデザイン上の自由度が格段に増加するとともに、操作体の集合状態において操作体同士が絡まることを確実に防止できる多芯筆記具を提供しようとするものである。
尚、本発明において、軸筒において、「前」とは前端孔側を指し、「後」とはその反対側を指し、筆記体において、「前」とはペン先側を指し、「後」とはその反対側を指す。
【課題を解決するための手段】
【０００６】
本願の第１の発明は、軸筒２内に複数の筆記体６を前後方向に移動可能に収容し、前記各々の筆記体６の後端に操作体７を連結し、前記各々の筆記体６及び操作体７を弾発体８により後方に付勢し、前記軸筒２の側壁に前後方向に延びる複数の窓孔４１を径方向に貫設し、前記各々の窓孔４１から径方向外方に前記各々の操作体７の操作部７１を突出させ、一つの操作体７を窓孔４１に沿って前方にスライド操作することにより、その一つの操作体７を先にペン先突出状態にあった他の筆記体６の操作体７と当接させ、先にペン先突出状態にあった他の筆記体６の操作体７と軸筒２内壁との係止状態を解除し、先に突出状態にあった他の筆記体６のペン先６１を軸筒２内に没入させ、前記前方にスライド操作した操作体７に連結された筆記体６のペン先６１を軸筒２の前端孔３１から突出させてなる多芯筆記具であって、前記操作体７が筆記体６の後端開口部に嵌入される嵌入部７４を備え、前記操作体７の操作部７１が厚み方向に貫通する貫通孔７１ａを備え、前記貫通孔７１ａの内接円直径Ａを前記嵌入部７４の外接円直径Ｄより小さく形成したことを要件とする。
【０００７】
本願の第１の発明の多芯筆記具１は、前記操作体７の操作部７１が、厚み方向に貫通する貫通孔７１ａを備えたことにより、操作体７のデザイン上の自由度が格段に増加する。
【０００８】
また、本願の第１の発明の多芯筆記具１は、前記貫通孔７１ａの内接円直径Ａを前記嵌入部７４の外接円直径Ｂより小さく形成したことにより、操作体７の集合状態（例えば、複数個を収容袋または収容容器に収容させた状態）で保管または流通させた際、操作体７同士が絡まることを確実に防止でき、円滑な組立作業が可能となる。仮に、貫通孔７１ａの内接円直径Ａが嵌入部７４の外接円直径Ｄより大きく形成された場合、複数個の操作体７を集合状態で保管または流通させた際、一方の操作体７の嵌入部７４が他方の操作体７の操作部７１の貫通孔７１ａに挿入して、操作体７同士が絡まり、円滑な組立作業が阻害されるおそれがある。
【０００９】
本願の第２の発明は、前記第１の発明の多芯筆記具１において、前記操作部７１に厚み方向に貫通する複数の貫通孔７１ａを有し、各々の貫通孔７１ａの内接円の直径Ａ・ａを、前記嵌入部７４の外接円直径Ｄより小さく形成したことを要件とする。
【００１０】
前記第２の発明の多芯筆記具１は、前記構成により、操作体７のデザイン上の自由度が格段に増加するとともに、操作体７の集合状態において操作体７同士が絡まることを確実に防止できる。
【００１１】
前記第３の発明は、前記第１または第２に発明の多芯筆記具１において、前記操作部７１の前方に装飾部７６を設け、前記装飾部７６が厚み方向に貫通する貫通孔７６ａを備え、前記装飾部７６の貫通孔７６ａの内接円直径Ｂを、前記嵌入部７４の外接円直径Ｄより小さく形成したことを要件とする。
【００１２】
前記第３の発明の多芯筆記具１は、前記構成により、操作体７のデザイン上の自由度が格段に増加するとともに、操作体７の集合状態において操作体７同士が絡まることを確実に防止できる。
【００１３】
本願の第４の発明の多芯筆記具１は、前記第１、第２または第３の発明の多芯筆記具１において、筆記体６及び操作体７を連結状態で軸筒２内から取り外し可能且つ軸筒２内に挿入可能に構成したことを要件とする。
【００１４】
前記第４の発明の多芯筆記具１は、筆記体６及び操作体７を連結状態で軸筒２内から取り外し可能且つ軸筒２内に挿入可能に構成した場合、前記第１、第２、第３の発明の構成によって、操作部７１を指で摘みやすく、筆記体６及び操作体７の交換が容易となる。
【００１５】
尚、本発明で、貫通孔の内接円直径（即ち、操作部７１に形成される貫通孔７１ａの内接円直径Ａ・ａ、装飾部７６に形成される貫通孔７６ａの内接円直径Ｂ）とは、貫通孔の内面に接するよう描いた仮想内接円の直径の最大値である。前記貫通孔の横断面形状は、円形状、多角形形状、異形状等何れであってもよい。
【００１６】
前記嵌入部７４の外接円の直径Ｄとは、嵌入部７４の最大外径部に接するよう描いた仮想外接円の直径の最小値である。前記嵌入部７４の最大外径部の横断面形状は、円形状、多角形形状、異形状等何れであってもよい。
【発明の効果】
【００１７】
本発明の多芯筆記具によれば、操作体のデザイン上の自由度が格段に増加するとともに、操作体の集合状態において操作体同士が絡まることを確実に防止できる。
【図面の簡単な説明】
【００１８】
【図１】本発明の実施の形態のペン先没入状態を示す縦断面図である。
【図２】図１のペン先突出状態を示す縦断面図である。
【図３】図１の互いに連結状態にある操作体及び筆記体を示す側面図である。
【図４】図３の操作体の拡大図である。
【図５】図１の筆記体交換時を示す側面図である。
【図６】本発明の第２の実施の形態の操作体を示す拡大側面図である。
【発明を実施するための形態】
【００１９】
＜第１の実施の形態＞
図１乃至図５に本発明の第１の実施の形態を示す。
【００２０】
本実施の形態の多芯筆記具１は、軸筒２と、該軸筒２内に前後方向に移動可能に収容される複数本の筆記体６とからなる。前記各々の筆記体６の後端には、操作体７が連結される。前記各々の筆記体６及び操作体７は、弾発体８（具体的には圧縮コイルスプリング）により後方に付勢されている。尚、本発明において、前記軸筒２内に移動可能に収容する筆記体６の本数は、２本以上であればよく、２本以外にも、３本、４本、５本、６本等であってもよい。
【００２１】
（軸筒）
前記軸筒２は、先細状の円筒体からなる前軸３と、該前軸３の後端部と螺合または圧入により取り付けられる円筒状の後軸４とからなる。前記前軸３の前端には、筆記体６のペン先６１が突出可能な前端孔３１が軸方向に貫設される。前記前軸３及び後軸４は、合成樹脂（例えば、ポリカーボネイト等）の射出成形により得られる。
【００２２】
前記後軸４の後部の側壁には、複数本（具体的には２本）の前後方向に延びる細長状の窓孔４１が、径方向に貫設される。また、前記後軸４の後端部には、軸方向後方に貫通し且つ径方向外方に開口する開口部４２が形成される。前記開口部４２は、後軸４の後端（即ち軸筒２の後端）において窓孔４１と連通され、それにより、窓孔４１後端が後方に切り欠かれ後方に開口されている。一方、前記窓孔４１の前端は常時閉鎖されている。前記開口部４２を介して、筆記体６及び操作体７が互いに連結状態で、軸筒２内より取り外し可能且つ軸筒２内に挿入可能に構成される。
【００２３】
また、前記後軸４の窓孔４１の相互間の側壁内面には、前後方向に延びるリブよりなる係止壁部４３が形成され、前記係止壁部４３に、ペン先６１が突出した際の筆記体６の操作体７７の後端が係止される。
【００２４】
前記後軸４の窓孔４１の相互間の側壁外面の後端部にはクリップ４５が設けられる。前記クリップ４５の基部にヒンジ部４６が形成される。
【００２５】
（蓋部）
前記後軸４の後端部には、前記開口部４２を開閉自在にする蓋部５が回動自在に設けられる。前記蓋部５は、開口部４２を塞ぐ蓋本体５１と、該蓋本体５１に連設される２本の脚片５２とからなる。前記蓋部５の脚片５２は、ヒンジ部４６により後軸４に回動自在に接続される。
【００２６】
前記蓋部５（蓋本体５１）の前面には、当接壁部５３が形成される。前記当接壁部５３に、ペン先没入状態の筆記体６の後端に連結された各々の操作体７の後端が衝止される。
【００２７】
（係合部、被係合部）
前記蓋部５（蓋本体５１）の前面には、係合部５４が設けられる（具体的には係合凹部または係合孔部が形成される）。後軸４の後端には、前記係合部５４と係合可能な被係合部４４が設けられる（具体的には係合凸部が突設される）。前記係合部５４（係合凹部または係合孔部）の内面には、内向突起が形成され、一方、前記被係合部４４（係合凸部）の外面には、前記内向突起と乗り越え係止可能な外向突起が形成される。
【００２８】
前記係合部５４と前記被係合部４４は、蓋部５が開口部４２を閉鎖した際、互いに係合状態にあり（具体的には内向突起と外向突起が乗り越え係止状態にあり）、弾発体８の後方への付勢による操作体７と蓋部５前面の当接壁部５３との当接では、その係合状態は解除されず、蓋部５が開くことはない。即ち、前記蓋部５による開口部４２の閉鎖状態において、係合部５４と被係合部４４との係合により、蓋部５の後方移動が阻止される。
【００２９】
（筆記体）
前記各々の筆記体６は、例えば、ボールペンレフィル、シャープペンシルレフィル、サインペンレフィル、マーキングペンレフィル等、入力ペンレフィル（スタイラスペンレフィル）等の公知のペン先６１を備えたレフィルが挙げられる。
【００３０】
本実施の形態では、筆記体６としてボールペンレフィルが採用される（図３参照）。前記ボールペンレフィルは、ボールペンチップ（ペン先６１）と、該ボールペンチップを前端に備え且つ内部にインキが収容されるインキ収容管６２と、該インキ収容管６２の後端（即ちインキ収容管６２の後端開口部）に嵌入される操作体７とからなる。
【００３１】
（操作体）
図４に示すように、ボールペンレフィルの各々の操作体７は、後端部に形成され且つ軸筒２の窓孔４１から軸筒２外部に突出する操作部７１と、該操作部７１の反対側に設けられる前側突出部７２と、該操作部７１の反対側の前側突出部７２の後方に設けられる後側突出部７３と、前端部に形成され且つインキ収容管６２の後端開口部に嵌入される嵌入部７４と、該嵌入部７４の後方に形成される鍔部７５とを備える。前記鍔部７５の前面には、弾発体８の後端が係止される。
【００３２】
前記嵌入部７４の最大外径部は、外周面に周状に配置された複数の突起（図示せず）からなる。前記複数の突起の外接円の直径Ｄは、筆記体６の後端開口部の内径（インキ収容管６２の後端開口部の内径）より僅かに大きく形成される。それにより、前記嵌入部７４の最大外径部と筆記体６の後端開口部内面とが嵌合可能となると同時に、突起間の隙間により筆記体６内部（インキ収容管６２内部）と外部とが通気可能となる。
【００３３】
前記操作部７１は、外観形状が6角形であり、中央に、厚み方向に貫通する6角形形状の貫通孔７１ａを有する。前記操作体７の操作部７１が、厚み方向に貫通する貫通孔７１ａを備えたことにより、操作体７の操作部７１のデザイン上の自由度が格段に増加する。本実施の形態では、操作部７１の外観形状及び貫通孔７１ａの形状は６角形形状であるが、これ以外の形状でもよい。
【００３４】
前記操作部７１の貫通孔７１ａの内接円の直径Ａは、前記嵌入部７４の最大外径部の外接円の直径Ｄより小さく形成される。それにより、前記操作体７の集合状態において、操作部７１の貫通孔７１ａに他の操作部７１の嵌入部７４が挿入することを回避でき、前記操作体７同士が絡まることを確実に防止できる。
【００３５】
前記操作部７１の前方には、操作部７１より小さい6角形の外観形状の装飾部７６が形成される。前記装飾部７６は、前記操作部７１と同じ側に設けられる。前記装飾部７６は、窓孔４１を介して軸筒２の側壁外面から径方向外方に突出する。前記装飾部７６の中央には、厚み方向に貫通される6角形形状の貫通孔７６ａを有する。前記操作体７の装飾部７６が、厚み方向に貫通する貫通孔７６ａを備えたことにより、操作体７のデザイン上の自由度が格段に増加できる。本実施の形態では、装飾部７６の外観形状及び貫通孔７６ａの形状は６角形形状であるが、これ以外の形状でもよい。
【００３６】
前記装飾部７６の貫通孔７６ａの内接円の直径Ｂは、前記嵌入部７４の最大外径部の外接円の直径Ｄより小さく形成される。それにより、前記操作体７の集合状態において、装飾部７６の貫通孔７６ａに他の操作部７１の嵌入部７４が挿入することを回避でき、前記操作体７同士が絡まることを確実に防止できる。
【００３７】
さらに、前記操作部７１と前記装飾部７６との間に、厚み方向に貫通する隙間７７が形成される。前記隙間７７の内接円の直径Ｃは、前記嵌入部７４の最大外径部の外接円の直径Ｄより小さく形成される。それにより、前記隙間７７に他の操作部７１の嵌入部７４が挿入することを回避でき、前記操作体７の集合状態において前記操作体７同士が絡まることをより一層確実に防止できる。前記隙間７７の内接円の直径Ｃは、隙間７７の内面に接するよう描いた仮想内接円の最大値である。
【００３８】
図３に示すレフィルを軸筒２内に収容した多芯筆記具１において、筆記体６のペン先６１が没入状態のとき、その筆記体６に取り付けられた操作体７の後端部は、蓋部５の前面に形成された当接壁部５３に衝止される。一方、筆記体６のペン先６１が突出状態のとき、その筆記体６に取り付けられた操作体７の後端部は、軸筒２の内壁に形成された係止壁部４３に係止される。また、図３に示すレフィルを軸筒２内に収容した多芯筆記具１において、ペン先没入状態にある筆記体６の後端に連結された操作体７の前側突出部７２は、その操作体７の操作部７１を前方に移動させた際、先にペン先突出状態にある他の筆記体６の後端に連結された操作体７の後側突出部７３と当接され、他の筆記体６の後端に連結された操作体７と係止壁部４３との係止状態が解除され、他の筆記体６のペン先突出状態が解除される。
【００３９】
（弾発体支持部）
軸筒２の内壁（即ち後軸４の内壁）には、円筒状の弾発体支持部９が固着される。前記弾発体支持部９は、筆記体６が挿通される複数（具体的には２個）の内孔９１が軸方向に貫設されている。前記弾発体支持部９の後面と、各々の操作体７の鍔部７５の前面との間には、弾発体８が配置される。前記各々の弾発体８の内部に筆記体６が遊挿されるとともに、各々の弾発体８の前端は弾発体支持部９の後面により係止され、各々の弾発体８の後端は操作体７の鍔部７５の前面に係止される。前記弾発体８により、筆記体６及び操作体７が後方に付勢される。
【００４０】
（ペン先の出没）
本実施の形態におけるペン先６１の出没作動について説明する。
一つの操作体７の操作部７１を弾発体８の後方付勢に抗して窓孔４１に沿って前方に移動させると、その前方に移動させた操作体７の前側突出部７２が、先に突出状態にある他の筆記体６の操作体７の後側突出部７３を径方向外方に持ち上げる。それにより、軸筒２内壁の係止壁部４３と操作体７との係止状態が解除され、他の筆記体６が弾発体８の後方付勢により後方に移動され、他の筆記体６のペン先６１が軸筒２内に没入され、他の筆記体６の操作体７の後端が蓋部５の前面の当接壁部５３に当接衝止される。前記他の筆記体６のペン先６１の没入と同時に、前記前方に移動させた操作体７に連結された筆記体６のペン先６１が、軸筒２の前端孔３１より外部に突出されるとともに、前方に移動させた操作体７の後端が軸筒２内壁の係止壁部４３に係止され、そのペン先突出状態が維持される。
【００４１】
（筆記体及び操作体の交換）
本実施の形態における筆記体６及び操作体７の交換について説明する（図５参照）。
筆記体６を交換する際、蓋部５が軸筒２の後端の開口部４２を閉鎖した状態から、蓋部５のヒンジ部４６と反対側の操作端部を後方に押圧し、係合部５４と被係合部４４との係合を解除し、蓋部５を後方に回動させ、軸筒２の後端の開口部４２を開口する。前記開口部４２を開口させると、前記開口部４２から各々の操作体７が、弾発体８の後方付勢により後方外部に突出される。前記軸筒２の後端の開口部４２が開口した状態で、操作体７を取り出すことにより、その操作体７と互いに連結状態にある筆記体６を前記開口部４２を介して軸筒２内から取り出し、その後、互いに連結状態にある新たな筆記体６と新たな操作体７とを前記開口部４２を介して軸筒２内に挿入する。そして、蓋部５の当接壁部５３に各々の操作体７を当接させ、各々の操作体７を前方に押圧しながら蓋部５を前方に回動させ、その後、係合部５４と被係合部４４とを係合させ、開口部を閉鎖する。これにより、筆記体６及び操作体７の交換作業が終了する。尚、本実施の形態では、筆記体６及び操作体７の交換は、開口部４２を介して行われるが、これ以外にも、窓孔４１を介して行われてもよい。
【００４２】
＜第２の実施の形態＞
図６に本発明の第２の実施の形態を示す。
【００４３】
本実施の形態は、第１の実施の形態の操作体７の変形例であり、操作体７の操作部７１に、厚み方向の複数の貫通孔７１ａを形成した点が、第１の実施の形態の操作部７１と異なる。本実施の形態の操作体７の操作部７１に形成した複数の貫通孔７１ａは、中央の１個の６角形形状のものと、その周囲の６個の円形状のものとからなり、中央の６角形形状の貫通孔７１ａの内接円直径Ａと、その周囲の６個の円形状の貫通孔７１ａの各々の内接円直径ａは、嵌入部７４の外接円直径Ｄより小さく形成される。本実施の形態の他の構成及び効果は、第１の実施の形態（図１乃至図５）と同様であるため、説明を省略する。
【符号の説明】
【００４４】
１  多芯筆記具
２  軸筒
３  前軸
３１  前端孔
４  後軸
４１  窓孔
４２  開口部
４３  係止壁部
４４  被係合部
４５  クリップ
４６  ヒンジ部
５  蓋部
５１  蓋本体
５２  脚片
５３  当接壁部
５４  係合部
６  筆記体
６１  ペン先
６２  インキ収容管
７  操作体
７１  操作部
７１ａ  貫通孔
７２  前側突出部
７３  後側突出部
７４  嵌入部
７５  鍔部
７６  装飾部
７６ａ  貫通孔
７７  隙間
８  弾発体
９  弾発体支持部
９１  内孔
Ａ  操作部の貫通孔の内接円の直径
ａ  操作部の貫通孔の内接円の直径
Ｂ  装飾部の貫通孔の内接円の直径
Ｃ  操作部と装飾部との間の隙間の内接円の直径
Ｄ  嵌入部の外接円の直径
【図１】
2014117933.tif 000003
【図２】
2014117933.tif 000004
【図３】
2014117933.tif 000005
【図４】
2014117933.tif 000006
【図５】
2014117933.tif 000007
【図６】
2014117933.tif 000008